(57)【要約】      （修正有）【課題】サッカーゴール、ホッケー、ハンドボール等の競技用の組立て式フレームからなるゴールを提供する。【解決手段】組立て式フレームのゴール、フレームは、左右側面パイプと、ジョイント金具で連繋した下梁側パイプと、左右側面パイプにそれぞれ立設した各支柱パイプと、各支柱パイプに設けた上梁側パイプとで構成し、このフレームに左右のネットサポート材を設けて、ネットを張った構造であり、分解して運搬可能としたことを特徴とする。【選択図】図１−２
0003157716.tif 000002
【実用新案登録請求の範囲】
【請求項１】
組立て式のフレームでなるゴールであって、
このフレームは、その底部となる対の側面パイプと、この対の側面パイプの一方端部にそれぞれ設けた各ジョイント金具を介して、連繋した底部となる下梁側パイプと、前記対の側面パイプの他方端部に、その一方端部を連繋して、それぞれ立設した各支柱パイプと、この各支柱パイプの他方端部間に設けた天板部の上梁側パイプとで構成し、
また、前記ジョイント金具は、側面パイプの一方端部の開口か、又は下梁側パイプの一方端部の開口に挿嵌するＬ形連結部材と、下梁側パイプの一方端部の開口か、又は側面パイプの一方端部の開口に挿嵌し、かつ前記Ｌ形連結部材間に進退自在に設けた、スライド連結部材とで構成したことを特徴とする組立て式のフレームでなるゴール。
【請求項２】
請求項１に記載の組立て式のフレームでなるゴールであって、
前記支柱パイプは、その一方の差込みパイプを、前記側面パイプの立上部の他方端部の開口に差込み、また、その他方の差込みパイプを、前記上梁側パイプの一方端部の開口に差込み、この支柱パイプを立設する構成とした組立て式のフレームでなるゴール。
【請求項３】
請求項１に記載の組立て式のフレームでなるゴールであって、
前記上梁側パイプは、第一の上梁側パイプ材と、第二の上梁側パイプ材で構成し、この第一の上梁側パイプ材の他方端部に差込みパイプを設け、この差込みパイプを、この第二の上梁側パイプ材の一方端部の開口に差込みパイプを設け、この第一の上梁側パイプ材と、この第二の上梁側パイプ材とを連結する構成とした組立て式のフレームでなるゴール。
【請求項４】
請求項１に記載の組立て式のフレームでなるゴールであって、
前記下梁側パイプは、第一の下梁側パイプ材と、第二の下梁側パイプ材で構成し、この第一の下梁側パイプ材の他方端部に差込みパイプを設け、この差込みパイプを、この第二の下梁側パイプ材の他方端部に開口を設け、この第一の下梁側パイプ材と、この第二の下梁側パイプ材とを連結する構成とした組立て式のフレームでなるゴール。
【請求項５】
請求項１に記載の組立て式のフレームでなるゴールであって、
前記ジョイント金具は、二枚のＬ形連結部材間に、二枚のスライド連結部材を装着し、このＬ形連結部材間に差渡した杆を、スライド連結部材の長手方向に設けた長孔に貫設し、この杆をガイドとして、前記スライド連結部材を、前記Ｌ形連結部材間内に挿入可能とする構成とした組立て式のフレームでなるゴール。
【請求項６】
請求項１に記載の組立て式のフレームでなるゴールであって、
このフレームに設けられるネットサポートは、少なくとも、第一のネットサポート材と、第二のネットサポート材で構成し、この第一、第二のネットサポート材の重ね箇所を止め具で枢支し、この第一のネットサポート材に、第二のネットサポート材を重ねて収容可能とする構成とした組立て式のフレームでなるゴール。
【考案の詳細な説明】
【技術分野】
【０００１】
本考案は、サッカーゴール、ホッケー、ハンドボール等の競技用の組立て式のフレームでなるゴールに関する。
【背景技術】
【０００２】
この種の競技用の組立て式のフレームでなるゴールでは、通常は、一体構造のゴールである。しかし、一部に、組立て（組付け）又は分解できる構造を採用し、その運搬、及び／又は、収納が容易な構造が知られている。このような状況に鑑み、先行文献の中から、関連する考案と、発明を、文献として、以下に説明する。
【０００３】
文献（１）は、実用新案登録第３１１１０５８号の「ゴールの構造」である。この考案は、多数の直管チューブ（支柱、横梁部材）と、この各チューブの多数の連結隅部に設けた多数の連結チューブ（ジョイントチューブ）と、この直管チューブと連結チューブに内装した複数の弾性ロープとでなり、この弾性ロープを緊張し、直管チューブと連結チューブとを枠組み形成してフレームを構成し、このフレームに支持チューブを取付けて、ネットを張装可能とする構造である。従って、このフレームは、組立て又は分解できること、また、その運搬、及び／又は、収納が容易となること、等の特徴がある。しかし、この考案は、直管チューブと連結チューブに内装した弾性ロープとでなり、かつこの弾性ロープを連結する構造であるので、構造が複雑であり、組立て等の際に手間を要すること、面倒であること、等の改良点がある。また、弾性ロープを備えた構造であり、重くなるので、運搬時において、問題となることが考えられる。
【０００４】
また、文献（２）は、特開２００６−９０３９８の「パイプ部材の取付構造・球技用ゴール」である。この発明は、水平パイプ部材と垂直パイプ部材とをジョイント金具で連結した構成のフレームであり、垂直パイプをジョイント金具に立設した状態で、ネットを張装する構成である。従って、組立て構造ではあるが、分解はできない。これにより、運搬には不向きと考えられる。
【０００５】
さらに、文献（３）は、特開２００５−１６８６０９の「組立分解式球技用ゴール枠」である。この発明は、数本のクローバー（梁部材）と、このクロスバーの両端部を支持する支柱と、このクロスバーの両端部と支柱とを連結するジョイントと、前記支柱の下端に設けたベースパイプ（梁）でなり、このクロスバーと支柱、並びにベースパイプとは一体構造である。従って、組立て、折畳み構造ではあるが、分解はできない。これにより、運搬には不向きと考えられる。
【０００６】
また、文献（４）は、特開平９−１４９９５５号の「ポータブル・ゴール」である。この発明は、左右の支柱と、この左右の支柱の底部を連結する下横材と、その頂部を連結する上横材とでなり、この左右の支柱と上下横材との連結箇所、並びに上下横材間をジョイントで連結一体化してフレームを構成する。従って、このフレームは、組立て又は分解できること、また、その運搬、及び／又は、収納ができること、等の特徴がある。しかし、この発明は、左右の支柱と上下横材は、必ずＬ形パイプで形成される構造であり、運搬時に嵩張る虞があり、この運搬時に手間を要すること、面倒であること、等の改良点がある。
【０００７】
【特許文献１】実用新案登録第３１１１０５８号
【特許文献２】特開２００６−９０３９８
【特許文献３】特開２００５−１６８６０９
【特許文献４】特開平９−１４９９５５号
【考案の概要】
【考案が解決しようとする課題】
【０００８】
前記文献（１）〜（４）の考案と発明は、それぞれ特徴を有するが、フレームの組立て又は分解を迅速に行ない、かつその運搬、及び／又は、収納の容易化を図るには、改良の余地がある。また、この文献（１）〜（４）の考案と発明は、本考案の如く、「底部となる対の側面パイプと、この対の側面パイプと下梁側パイプとをジョイント金具を介して、連繋する構造」と成っていないので、フレームの強度と、安定性に欠ける問題点を抱えている。
【課題を解決するための手段】
【０００９】
請求項１の考案は、底部となる対の側面パイプと、この対の側面パイプと下梁側パイプとをジョイント金具を介して、連繋する構造とすることで、このフレームの強度と、安定性を確保することを意図する。また、請求項１の考案は、対の側面パイプと、上下梁側パイプとの組合せ構造を採用し、組立て又は分解可能とすること、また、その運搬、及び／又は、収納可能とすること、等を意図する。さらに、請求項１の考案は、前記組立て又は分解をワンタッチで行い。また、前記運搬、及び／又は、収納を簡易に行なうこと、等を意図する。
【００１０】
請求項１は、組立て式のフレームでなるゴールであって、
このフレームは、その底部となる対の側面パイプと、この対の側面パイプの一方端部にそれぞれ設けた各ジョイント金具を介して、連繋した底部となる下梁側パイプと、前記対の側面パイプの他方端部に、その一方端部を連繋して、それぞれ立設した各支柱パイプと、この各支柱パイプの他方端部間に設けた天板部の上梁側パイプとで構成し、
また、前記ジョイント金具は、側面パイプの一方端部の開口か、又は下梁側パイプの一方端部の開口に挿嵌するＬ形連結部材と、下梁側パイプの一方端部の開口か、又は側面パイプの一方端部の開口に挿嵌し、かつ前記Ｌ形連結部材間に進退自在に設けた、スライド連結部材とで構成したことを特徴とする組立て式のフレームでなるゴールである。
【００１１】
請求項２の考案は、請求項１の意図を達成し、かつこの意図を達成するに最適な、支柱パイプと側面パイプの構造を提案する。
【００１２】
請求項１に記載の組立て式のフレームでなるゴールであって、
前記支柱パイプは、その一方の差込みパイプを、前記側面パイプの立上部の他方端部の開口に差込み、また、その他方の差込みパイプを、前記上梁側パイプの一方端部の開口に差込み、この支柱パイプを立設する構成とした組立て式のフレームでなるゴール。である。
【００１３】
請求項３の考案は、請求項１の意図を達成し、かつこの意図を達成するに最適な、上梁側パイプの構造を提案する。
【００１４】
請求項３は、請求項１に記載の組立て式のフレームでなるゴールであって、
前記上梁側パイプは、第一の上梁側パイプ材と、第二の上梁側パイプ材で構成し、この第一の上梁側パイプ材の他方端部に差込みパイプを設け、この差込みパイプを、この第二の上梁側パイプ材の一方端部の開口に差込みパイプを設け、この第一の上梁側パイプ材と、この第二の上梁側パイプ材とを連結する構成とした組立て式のフレームでなるゴールである。
【００１５】
請求項４の考案は、請求項１の意図を達成し、かつこの意図を達成するに最適な、下梁側パイプの構造を提案する。
【００１６】
請求項４は、請求項１に記載の組立て式のフレームでなるゴールであって、
前記下梁側パイプは、第一の下梁側パイプ材と、第二の下梁側パイプ材で構成し、この第一の下梁側パイプ材の他方端部に差込みパイプを設け、この差込みパイプを、この第二の下梁側パイプ材の他方端部に開口を設け、この第一の下梁側パイプ材と、この第二の下梁側パイプ材とを連結する構成とした組立て式のフレームでなるゴールである。
【００１７】
請求項５の考案は、請求項１の意図を達成し、かつこの意図を達成するに最適な、ジョイント金具の構造を提案する。
【００１８】
請求項５は、請求項１に記載の組立て式のフレームでなるゴールであって、
前記ジョイント金具は、二枚のＬ形連結部材間に、二枚のスライド連結部材を装着し、このＬ形連結部材間に差渡した杆を、スライド連結部材の長手方向に設けた長孔に貫設し、この杆をガイドとして、前記スライド連結部材を、前記Ｌ形連結部材間内に挿入可能とする構成とした組立て式のフレームでなるゴールである。
【００１９】
請求項６の考案は、請求項１の意図を達成し、かつこの意図を達成するに最適な、ネットサポートの構造を提案する。
【００２０】
請求項６は、請求項１に記載の組立て式のフレームでなるゴールであって、
このフレームに設けられるネットサポートは、少なくとも、第一のネットサポート材と、第二のネットサポート材で構成し、この第一、第二のネットサポート材の重ね箇所を止め具で枢支し、この第一のネットサポート材に、第二のネットサポート材を重ねて収容可能とする構成とした組立て式のフレームでなるゴールである。
【考案の効果】
【００２１】
請求項１の考案は、組立て式のフレームでなるゴールであって、
フレームは、底部となる対の側面パイプと、対の側面パイプの一方端部にそれぞれ設けた各ジョイント金具を介して、連繋した底部となる下梁側パイプと、対の側面パイプの他方端部に、一方端部を連繋して、それぞれ立設した各支柱パイプと、各支柱パイプの他方端部間に設けた天板部の上梁側パイプとで構成し、
また、ジョイント金具は、側面パイプの一方端部の開口か、又は下梁側パイプの一方端部の開口に挿嵌するＬ形連結部材と、下梁側パイプの一方端部の開口か、又は側面パイプの一方端部の開口に挿嵌し、かつＬ形連結部材間に進退自在に設けた、スライド連結部材とで構成したことを特徴とする組立て式のフレームでなるゴールである。
【００２２】
従って、請求項１は、底部となる対の側面パイプと、この対の側面パイプと下梁側パイプとをジョイント金具を介して、連繋する構造とすることで、このフレームの強度と、安定性を確保できる特徴がある。また、請求項１は、対の側面パイプと、上下梁側パイプとの組合せ構造を採用し、組立て又は分解可能となること、また、その運搬、及び／又は、収納可能となること、等の利点がある。さらに、請求項１は、前記組立て又は分解をワンタッチで行い。また、前記運搬、及び／又は、収納を簡易に行な得ること、等の実益がある。
【００２３】
請求項２の考案は、請求項１に記載の組立て式のフレームでなるゴールであって、
支柱パイプは、一方の差込みパイプを、側面パイプの立上部の他方端部の開口に差込み、また、他方の差込みパイプを、上梁側パイプの一方端部の開口に差込み、支柱パイプを立設する構成とした組立て式のフレームでなるゴールである。
【００２４】
従って、請求項２は、請求項１の意図を達成し、かつこの意図を達成するに最適な、支柱パイプと側面パイプの構造を提案できる特徴がある。
【００２５】
請求項３の考案は、請求項１に記載の組立て式のフレームでなるゴールであって、
上梁側パイプは、第一の上梁側パイプ材と、第二の上梁側パイプで構成し、第一の上梁側パイプ材の他方端部に差込みパイプを設け、差込みパイプを、第二の上梁側パイプ材の一方端部の開口に差込みパイプを設け、第一の上梁側パイプ材と、第二の上梁側パイプ材とを連結する構成とした組立て式のフレームでなるゴールである。
【００２６】
従って、請求項３は、請求項１の意図を達成し、かつこの意図を達成するに最適な、上梁側パイプの構造を提案できる特徴がある。
【００２７】
請求項４の考案は、請求項１に記載の組立て式のフレームでなるゴールであって、
下梁側パイプは、第一の下梁側パイプ材と、第二の下梁側パイプ材で構成し、第一の下梁側パイプ材の他方端部に差込みパイプを設け、差込みパイプを、第二の下梁側パイプ材の他方端部に開口を設け、第一の下梁側パイプ材と、第二の下梁側パイプ材とを連結する構成とした組立て式のフレームでなるゴールである。
【００２８】
従って、請求項４は、請求項１の意図を達成し、かつこの意図を達成するに最適な、下梁側パイプの構造を提案できる特徴がある。
【００２９】
請求項５の考案は、請求項１に記載の組立て式のフレームでなるゴールであって、
ジョイント金具は、二枚のＬ形連結部材間に、二枚のスライド連結部材を装着し、Ｌ形連結部材間に差渡した杆を、スライド連結部材の長手方向に設けた長孔に貫設し、杆をガイドとして、スライド連結部材を、Ｌ形連結部材間内に挿入可能とする構成とした組立て式のフレームでなるゴールである。
【００３０】
従って、請求項５は、請求項１の意図を達成し、かつこの意図を達成するに最適な、ジョイント金具の構造を提案できる特徴がある。
【００３１】
請求項６の考案は、請求項１に記載の組立て式のフレームでなるゴールであって、
フレームに設けられるネットサポートは、少なくとも、第一のネットサポート材と、第二のネットサポート材で構成し、第一、第二のネットサポート材の重ね箇所を止め具で枢支し、第一のネットサポート材に、第二のネットサポート材を重ねて収容可能とする構成とした組立て式のフレームでなるゴールである。
【００３２】
従って、請求項６は、請求項１の意図を達成し、かつこの意図を達成するに最適な、ネットサポートの構造を提案できる特徴がある。
【図面の簡単な説明】
【００３３】
【図１−１】ネットを張装したゴールの側面斜視図
【図１−２】ネットを張装したゴールの正面斜視図
【図２−１】上梁側パイプと、ネットサポートとの関係を示した要部拡大斜視図
【図２−２】下梁側パイプと、ネットサポートとの関係を示した要部拡大斜視図
【図２−３】ネットサポートを構成する第一、第二のネットサポート材の関係を示した要部拡大斜視図
【図３−１】下梁側パイプと、側面パイプをジョイント金具で連繋し、装着状態の要部拡大平面図
【図３−２】図３−１の要部拡大側面図
【図３−３】下梁側パイプと、側面パイプをジョイント金具で連繋し、ジョイント金具を引出すことで、例えば、この下梁側パイプからジョイント金具を引出（脱抜）し、この下梁側パイプに側面パイプを添接する状態に移行する過程を示した要部拡大俯瞰図
【図３−４】図３−３の平面図
【図３−５】下梁側パイプ、又は側面パイプを可動し、側面パイプと、下梁側パイプが添接した状態を示した要部拡大平面図
【図３−６】図３−５の添接状態を一方端部より見た要部拡大俯瞰図
【図３−７】図３−５の添接状態を一方端部より見た要部拡大側面図
【図３−８】図３−５の添接状態を他方端部より見た要部拡大断面図
【図４】対の側面パイプと、上下梁側パイプ、並びに各支柱パイプを、それぞれ分解して示した一部欠截側面図
【図５−１】ネットサポートを構成する第一、第二のネットサポート材を展開した（取付け）状態を示した斜視図
【図５−２】図５−１に示した第一、第二のネットサポート材を重ねて収容可能とする状態の斜視図
【考案を実施するための形態】
【００３４】
以下、本考案の一実施例を説明する。
【００３５】
本考案のフレームＦは、大別すると、底部Ｆ１となる対の側面パイプ１、１（対の構造は、一方で説明する。以下、省略）と、対の側面パイプ１の一方端部１ａにそれぞれ設けた各ジョイント金具１０、１０を介して、連繋した底部Ｆ１となる下梁側パイプ２０、２０と、対の側面パイプ１の他方端部１ｂに、一方端部３０ａを連繋して、それぞれ立設した各支柱パイプ３０、３０と、各支柱パイプ３０の他方端部３０ｂ間に設けた天板部Ｆ２の上梁側パイプ４０、４０とで構成する。以下、この側面パイプ１と、ジョイント金具１０と、下梁側パイプ２０、並びに支柱パイプ３０と、上梁側パイプ４０を個別に説明する。
【００３６】
この側面パイプ１は、他方端部１ｂに立上部（曲折部）１００を形成し、この他方端部１ｂの先端は開口２とする。また、一方端部１ａにストレートに形成し、この一方端部１ａの先端は開口３とする。尚、左右の側面パイプ１は、同じ構造である。
【００３７】
次に、ジョイント金具１０は、側面パイプ１の一方端部１ａの開口３か、又は下梁側パイプ２０の一方端部２０ａの開口２２に挿嵌し、かつ溶接、止め具で固定するＬ形連結部材１１と、下梁側パイプ２０の一方端部２０ａの開口２２か、又は側面パイプ１の一方端部１ａの開口３に挿嵌し、かつ各ジョイント金具１０の二枚のＬ形連結部材１１間に進退自在に設けた、スライド連結部材１２とで構成する。このスライド連結部材１２は、下梁側パイプ２０の一方端部２０ａの開口２２か、又は側面パイプ１の一方端部１ａの開口３に挿嵌し、かつ溶接、止め具で固定する。そして、このＬ形連結部材１１とスライド連結部材１２との関係を説明すると、この二枚のＬ形連結部材１１の折曲端部１１ａの自由端側１１ｂに間に差渡した杆１３と、この杆１３に支持される長孔１４を備えた長板形状でなる二枚のスライド連結部材１２で構成されている。従って、このスライド連結部材１２は、その長孔１４が杆１３をガイドとして、前進方向（矢印「イ」）に移動することで、Ｌ形連結部材１１の折曲端部１１ａ内に、順次、進行（挿入）する。このスライド連結部材１２の進行を介して、例えば、前記下梁側パイプ２０の一方端部２０ａが、Ｌ形連結部材１１の折曲端部１１ａに外嵌される構造であり、かつこの側面パイプ１の一方端部１ａと、この下梁側パイプ２０の一方端部２０ａとが、組付け一体化される構造である（図１−１、図１−２、又は図３−１と、図３−２参照）。また、このスライド連結部材１２は、その長孔１４が杆１３をガイドとして、後退方向（矢印「ロ」）に移動することで、Ｌ形連結部材１１の折曲端部１１ａより、順次、脱抜される。このスライド連結部材１２の脱抜を介して、例えば、前記下梁側パイプ２０の一方端部２０ａが、Ｌ形連結部材１１の折曲端部１１ａの自由端側１１ｂ方向に至る構造であり、かつこの側面パイプ１の一方端部１ａが、この下梁側パイプ２０の一方端部２０ａより、最も離れた位置関係である（図３−３と、図３−４参照）。尚、長孔１４の前進方向の先端部に、杆１３が位置する構造である。この側面パイプ１の一方端部１ａが、この下梁側パイプ２０の一方端部２０ａより、最も離れた位置関係において、この下梁側パイプ２０、又は側面パイプ１は、杆１３を支点として、回転可能となっていることから、例えば、この下梁側パイプ２０の一方端部２０ａを、前記側面パイプ１の一方端部１ａに添接移動可能となっている（図３−５〜図３−８参照）。そして、この添接状態が、このフレームＦを分解した際の最小寸法となる。また、運搬が可能な状態である。
【００３８】
処で、前記下梁側パイプ２０は、第一の下梁側パイプ材２０−１と、第二の下梁側パイプ材２０−２で構成するので、以下、説明する。この第一の下梁側パイプ材２０−１と、第二の下梁側パイプ材２０−２とは、原則として、同じ構造であるが、この第一の下梁側パイプ材２０−１は、図１−２において、ジョイント金具１０を介して、向かって右側の側面パイプ１と連繋する構造であり、また、この第二の下梁側パイプ材２０−２は、図１−２において、ジョイント金具１０を介して、向かって左側の側面パイプ１と連繋する構造であるが、前述の如く、ジョイント金具１０の連繋と、このジョイント金具１０と第一の下梁側パイプ材２０−１、及び、第二の下梁側パイプ材２０−２との動作と、回転等の動きは、同じである。尚、この第一の下梁側パイプ材２０−１の他方端部２０−１ｂと、第二の下梁側パイプ材２０−２の他方端部２０−２ｂとは、連結される構造であるので、他方端部２０−１ｂ／他方端部２０−２ｂの何れかに差込みパイプ２４を、また、他方端部２０−２ｂ／他方端部２０−１ｂの何れかに開口２３を設ける。従って、第一の下梁側パイプ材２０−１の他方端部２０−１ｂと、第二の下梁側パイプ材２０−２の他方端部２０−２ｂとは、前記差込みパイプ２４と開口２３への差込みを介して、連結、又はこの差込み解除で、分解できる構造とする。
【００３９】
前記支柱パイプ３０は、その一方端部３０ａと他方端部３０ｂに差込みパイプ３１、３２が設けられており、この差込みパイプ３１は、前記側面パイプ１の他方端部１ｂに設けた開口２に差込まれることで、組付けが完了し、かつこの支柱パイプ３０は、側面パイプ１の立上部１００に立設される構造である。また、この他方端部３０ｂの差込みパイプ３２は、後述する上梁側パイプ４０の一方端部４０ａの開口４３にそれぞれ嵌挿されることで、立設が確定し、かつフレームＦの支柱となる。尚、前記差込みパイプ３１、３２を側面パイプ１の開口２、上梁側パイプ４０の開口４３より引抜くことで、支柱パイプ３０の分解ができる。
【００４０】
次に、上梁側パイプ４０は、第一の上梁側パイプ材４０−１と、第二の上梁側パイプ材４０−２で構成するので、続いて、説明する。但し、この第一、第二の上梁側パイプ材４０−１、４０−２は、前記側面パイプ１と同じ構造であり（兼用できる）、製造過程では、この側面パイプ１を同じ機械、材料、手法で可能となることで、例えば、装置、材料、作業等の簡便化、低コスト化、又は兼用による簡略化、利便性の確保等が図れる。そして、この第一の上梁側パイプ材４０−１の他方端部４０−１ｂと、第二の上梁側パイプ４０−２の他方端部４０−２ｂとは、連結される構造であるので、他方端部４０−１ｂ／他方端部４０−２ｂの何れかに差込みパイプ４４を、また、他方端部４０−２ｂ／他方端部４０−１ｂの何れかに開口４２を設ける。従って、第一の上梁側パイプ材４０−１の他方端部４０−１ｂと、第二の下梁側パイプ材４０−２の他方端部４０−２ｂとは、前記差込みパイプ４４を開口４３への差込みを介して、連結、又はこの差込み解除で、分解できる構造とする。尚、この上梁側パイプ４０では、前記立上部１００は、垂下部（折曲部）４００とする。
【００４１】
また、上梁側パイプ４０と、下梁側パイプ２０にはネットサポート５０が対で設けられる。このネットサポート５０は、この例では、曲面板材を利用し、第一のネットサポート材５０−１と、第二のネットサポート材５０−２とで構成し、この内側の連結箇所を一部重ね、この重ね箇所を、止め具５１を介して枢支する。この枢支により、第一のネットサポート材５０−１／第二のネットサポート材５０−２の何れかを可動可能とすることで、例えば、図５−１のネットサポート５０を構成する第一、第二のネットサポート材５０−１、５０−２の展開した（取付け）状態から、図５−２の第一、第二のネットサポート材５０−１、５０−２を重ねて収容可能な状態に変更できる。即ち、組立て、又は分解（収容）できる構造とする。尚、図示しないが、この第一、第二のネットサポート材５０−１、５０−２を入れ子式とか、着脱可能とする等の構造も可能である。そして、この第一、第二のネットサポート材５０−１、５０−２は、図１−１〜図２−３の組付け状態では、この第一のネットサポート材５０−１の下端の板材片部５０−１ａは、第一、第二の下梁側パイプ材２０−１、２０−２の上面に設けた差込み孔２６に差込み固止され、また、第二のネットサポート材５０−２の上端の板材折曲げ片部５０−２ａは、第一、第二の上梁側パイプ材４０−１、４０−２の上面に設けた差込み孔４５に差込み、かつ止め具５２で固止される。これにより、この対の第一のネットサポート材５０−１は、それぞれ第一、第二の下梁側パイプ材２０−１、２０−２に、また、対の第二のネットサポート材５０−２は、第一、第二の上梁側パイプ材４０−１、４０−２との間に、それぞれ支持される。また、この差込み孔２６からの第一のネットサポート材５０−１の板材片部５０−１ａの脱抜と、この差込み孔４５からの第二のネットサポート材５０−２の板材折曲げ片部５０−２ａの脱抜とを介して、この第一、第二のネットサポート材５０−１、５０−２（ネットサポート５０）を取外す構造である。尚、このネットサポート５０の収容時には、第二のネットサポート材５０−２の下側に（その寸法（長さ）と、その上端の板材折曲げ片部５０−２ａとの間に）、第一のネットサポート材５０−１の平坦構造と、第二のネットサポート材５０−２より短い寸法を利用して重畳状態で収まり、コンパクトな収容と、このネットサポート５０の損傷防止、等に有効と考えられる。また、止め具５１の螺子込み、挾持、取付け等の緊締で、重畳した、第一、第二のネットサポート材５０−１、５０−２を固定することも可能である。
【００４２】
続いて、フレームＦを組立てる手順の一例を説明すると、先ず、図１−２において、向かって、右側の側面パイプ１に添接された第一の下梁側パイプ２０−１を略９０度回転する。この回転は、右側の側面パイプ１と第一の下梁側パイプ２０−１とを連結するジョイント金具１０で行うが、この一例では（以下、この言葉、省略する）、このジョイント金具１０のＬ形連結部材１１の折曲端部１１ａにあるスライド連結部材１２を、杆１３を枢軸として回転操作する。この操作で、右側の側面パイプ１に添接された第一の下梁側パイプ２０−１が、前記スライド連結部材１２とともに回転し、この右側の側面パイプ１に対して、略９０度することで、この第一の下梁側パイプ２０−１は、平面視して、Ｌ型形状に展開される。その後、このＬ型形状時において、前述した如く、前記ジョイント金具１０のＬ形連結部材１１間にスライド連結部材１２を挿入して、組付け（固定）する。続いて、左側の側面パイプ１に添接された第二の下梁側パイプ２０−２を同様に操作で略９０度回転すると、平面視して、Ｌ型形状に展開される。その後、このＬ型形状時において、前述した如く、前記ジョイント金具１０のＬ形連結部材１１間にスライド連結部材１２を挿入させて、組付け一体化（固定）する。このＬ型形状に展開し、組付け一体化された、第一の下梁側パイプ材２０−１の差込みパイプ２４を、同じようにＬ型形状に展開し、組付け一体化された、第二の下梁側パイプ材２０−２の開口２３に差込み、かつ緊締することで、フレームＦの底部Ｆ１が形成される。
【００４３】
そして、このＬ型形状に展開され、かつ形成された（組付けられた）、左右の側面パイプ１の立上部１００の開口２に、支柱パイプ３０の差込みパイプ３１をそれぞれ差込み、底部Ｆ１に、左右の支柱パイプ３０が組付けられる。
【００４４】
一方、上梁側パイプ４０は、第一の上梁側パイプ材４０−１と、第二の上梁側パイプ４０−２で構成するので（前述の如く、側面パイプ１と同じ構造であり、兼用できる）、この第一の上梁側パイプ材４０−１と、第二の上梁側パイプ４０−２を連結する。例えば、第一の上梁側パイプ材４０−１の差込みパイプ４４を、第二の上梁側パイプ材４０−２の開口４２に差込み支持することで、この第一、第二の上梁側パイプ４０−１、４０−２は、連結される。
【００４５】
その後、この連結された第一、第二の上梁側パイプ４０−１、４０−２を、前記左右の支柱パイプ３０が組付けられた底部Ｆ１に、組付けるには、前記支柱パイプ３０の差込みパイプ３２に、この第一、第二の上梁側パイプ４０−１、４０−２の垂下部４００に形成した開口４３、４３に、それぞれ被嵌することで、底部Ｆ１と、天板部Ｆ２は、左右の支柱パイプ３０を介して、一体化し、目的とするフレームＦの組付けが完成する。
【００４６】
このフレームＦには、前述の如く、対のネットサポート５０を取付けた後に、第二のネットサポート５０−２の板材折曲げ片部５０−２ａを、第一、第二の上梁側パイプ４０−１、４０−２に設けた止め具５２で、緊締してそれぞれ固定する。この固定後に、ネット６０を取付ける。従って、このネット６０は、枠組みされた、ネットサポート５０と、底部Ｆ１を構成する側面パイプ１と、下梁側パイプ２０、また、支柱パイプ３０と、天板部Ｆ２を構成する上梁側パイプ４０の上側が、又は下側等に張装される。このネット６０の張装により、目的とするゴールが完成する。
【００４７】
そして、この完成したゴール、及びフレームＦの分解は、前述した組付けの逆の操作で可能であり、その説明は割愛する。また、フレームＦを分解すると、次のパイプ部材（八部品）となり、簡易に運搬できる。また、パイプ部材を、例えば、アルミ、又はその合金、樹脂で構成することで、軽量で、かつ腐食することなく、軽量化と耐久性、並びに運搬の容易化等に寄与できる。
【００４８】
［イ］  第一の下梁側パイプ２０−１・ジョイント金具１０・側面パイプ１と、
［ロ］  第二の下梁側パイプ２０−２・ジョイント金具１０・側面パイプ１と、
［ハ］  二本の支柱パイプ３０と、
［ニ］  第一の上梁側パイプ４０−１と、
［ホ］  第二の上梁側パイプ４０−２と、
［へ］  二本のネットサポート５０
に分解できる。
【符号の説明】
【００４９】
１              側面パイプ
１ａ            一方端部
１ｂ            他方端部
１００          立上部（折曲部）
２              開口
３              開口
１０            ジョイント金具
１１            Ｌ形連結部材
１１ａ          折曲端部
１１ｂ          自由端側
１２            スライド連結部材
１３            杆
１４            長孔
２０            下梁側パイプ
２０−１        第一の下梁側パイプ材
２０−１ｂ      他方端部
２０−２        第二の下梁側パイプ材
２０−２ｂ      他方端部
２０ａ          一方端部
２０ｂ          他方端部
２２            開口
２３            開口
２４            差込みパイプ
２６            差込み孔
３０            支柱パイプ
３０ａ          一方端部
３０ｂ          他方端部
３１            差込みパイプ
３２            差込みパイプ
４０            上梁側パイプ
４０−１        第一の上梁側パイプ材
４０−１ｂ      他方端部
４０−２        第二の上梁側パイプ材
４０−２ｂ      他方端部
４０ａ          一方端部
４０ｂ          他方端部
４００          垂下部（折曲部）
４２            開口
４３            開口
４４            差込みパイプ
４５            差込み孔
５０            ネットサポート
５０−１        第一のネットサポート材
５０−１ａ      板材片部
５０−２        第二のネットサポート材
５０−２ａ      板材折曲げ片部
５１            止め具
５２            止め具
６０            ネット
Ｆ              フレーム
Ｆ１            底部
Ｆ２            天板部
【図１−１】
0003157716.tif 000003
【図１−２】
0003157716.tif 000004
【図２−１】
0003157716.tif 000005
【図２−２】
0003157716.tif 000006
【図２−３】
0003157716.tif 000007
【図３−１】
0003157716.tif 000008
【図３−２】
0003157716.tif 000009
【図３−３】
0003157716.tif 000010
【図３−４】
0003157716.tif 000011
【図３−５】
0003157716.tif 000012
【図３−６】
0003157716.tif 000013
【図３−７】
0003157716.tif 000014
【図３−８】
0003157716.tif 000015
【図４】
0003157716.tif 000016
【図５−１】
0003157716.tif 000017
【図５−２】
0003157716.tif 000018